(57)【要約】 【課題】コンテンツを効率良く選択できる情報配信装置、情報配信方法および情報配信プログラムを提供する。【解決手段】実施形態によれば、情報配信装置は、配信手段と、記憶手段と、表示手段とを有する。配信手段は、お試し用のコンテンツを携帯端末へ配信する。記憶手段は、配信手段によりお試し用のコンテンツを配信した履歴情報を記憶する。表示手段は、記憶手段に記憶したお試し用のコンテンツを配信した履歴情報により選出したコンテンツを選択可能なコンテンツとして表示する。【選択図】図３
2014157543.tif 000002
【特許請求の範囲】
【請求項１】
お試し用のコンテンツを携帯端末へ配信する配信手段と、
前記配信手段によりお試し用のコンテンツを配信した履歴情報を記憶する記憶手段と、
前記記憶手段に記憶したお試し用のコンテンツを配信した履歴情報により選出したコンテンツを選択可能なコンテンツとして表示する表示手段と、
を有する情報配信装置。
【請求項２】
前記表示手段は、前記履歴情報により選出するコンテンツの表示が指示された場合、前記履歴情報により選出したコンテンツを表示する、
前記請求項１に記載の情報配信装置。
【請求項３】
お試し用のコンテンツを携帯端末へ配信し、
お試し用のコンテンツを配信した履歴情報を記憶部に記憶し、
前記記憶したお試し用のコンテンツを配信した履歴情報により選出したコンテンツを選択可能なコンテンツとして表示部に表示する、
情報配信方法。
【請求項４】
前記表示は、前記履歴情報により選出するコンテンツの表示が指示された場合、前記履歴情報により選出したコンテンツを表示する、
前記請求項３に記載の情報配信方法。
【請求項５】
コンピュータに、
お試し用のコンテンツを携帯端末へ配信する配信機能と、
前記配信機能によりお試し用のコンテンツを配信した履歴情報を記憶手段に記憶させる記憶機能と、
前記記憶手段に記憶したお試し用のコンテンツを配信した履歴情報により選出したコンテンツを選択可能なコンテンツとして表示手段に表示させる表示機能と、
を実行させるための情報配信プログラム。
【請求項６】
前記表示機能は、前記履歴情報により選出するコンテンツの表示が指示された場合、前記履歴情報により選出したコンテンツを前記表示手段に表示する、
前記請求項５に記載の情報配信プログラム。
【発明の詳細な説明】
【技術分野】
【０００１】
本実施形態は、情報配信装置、情報配信方法および情報配信プログラムに関する。
【背景技術】
【０００２】
従来、利用者に情報を提供する情報配信装置として、キオスク端末がある。情報配信装置としてのキオスク端末には、多くのコンテンツの中から利用者が選択したコンテンツを利用者の携帯端末に配信する機能を有するものがある。  
しかしながら、ディジタルコンテンツは大容量であり配信の負荷が大きい。
【先行技術文献】
【特許文献】
【０００３】
【特許文献１】特開２０１０−２０５１８５号公報
【発明の概要】
【発明が解決しようとする課題】
【０００４】
本発明は、コンテンツを効率良く選択できる情報配信装置、情報配信方法および情報配信プログラムを提供することを目的とする。
【課題を解決するための手段】
【０００５】
実施形態によれば、情報配信装置は、配信手段と、記憶手段と、表示手段とを有する。配信手段は、お試し用のコンテンツを携帯端末へ配信する。記憶手段は、配信手段によりお試し用のコンテンツを配信した履歴情報を記憶する。表示手段は、記憶手段に記憶したお試し用のコンテンツを配信した履歴情報により選出したコンテンツを選択可能なコンテンツとして表示する。
【図面の簡単な説明】
【０００６】
【図１】図１は、本実施形態に係る情報配信システムの構成例を示す図である。
【図２】図２は、本実施形態に係る情報配信システムの構成例を示す図である。
【図３】図３は、本実施形態に係るキオスク端末の構成例を示すブロック図である。
【図４】図４は、本実施形態に係る携帯端末の構成例を示すブロック図である。
【図５】図５は、本実施形態に係るキオスク端末及び携帯端末における処理モジュールの構成例を示す図である。
【図６】図６は、本実施形態に係るキオスク端末におけるカテゴリテーブルの構成例を示す図である。
【図７】図７は、本実施形態に係るキオスク端末におけるジャンルテーブルの構成例を示す図である。
【図８】図８は、本実施形態に係るキオスク端末におけるコンテンツ管理テーブルの構成例を示す図である。
【図９】図９は、本実施形態に係るキオスク端末における履歴テーブルの構成例を示す図である。
【図１０】図１０は、本実施形態に係るキオスク端末が表示するトップ画面の表示例を示す図である。
【図１１】図１１は、本実施形態に係るキオスク端末が表示するカテゴリ選択画面の表示例を示す図である。
【図１２】図１２は、本実施形態に係るキオスク端末が表示するコンテンツ選択画面の表示例を示す図である。
【図１３】図１３は、本実施形態に係るキオスク端末が表示するダウンロード選択画面の表示例を示す図である。
【図１４】図１４は、本実施形態に係るキオスク端末が表示するお試し履歴画面の表示例を示す図である。
【図１５】図１５は、本実施形態に係るキオスク端末における処理の流れを説明するためのフローチャートである。
【図１６】図１６は、本実施形態に係るキオスク端末におけるコード生成処理の流れを説明するためのフローチャートである。
【図１７】図１７は、本実施形態に係る携帯端末におけるお試しコンテンツの再生処理の流れを説明するためのフローチャートである。
【図１８】図１８は、本実施形態に係るキオスク端末におけるお試しコンテンツの配信処理の流れを説明するためのフローチャートである。
【図１９】図１９は、本実施形態に係るキオスク端末におけるコンテンツのダウンロード処理の流れを説明するためのフローチャートである。
【発明を実施するための形態】
【０００７】
以下、実施の形態について、図面を参照して説明する。  
まず、本実施形態に係る情報配信装置としてのキオスク端末を含む情報配信システムの構成について説明する。  
図１及び図２は、本実施形態に係る情報配信システムの構成例を概略的に示す図である。  
情報配信システム１は、キオスク端末１０、無線機器１１、コンテンツサーバ１２、レコメンドサーバ１３、デジタル複合機（ＭＦＰ）１４などにより構成する。情報配信システム１は、キオスク端末１０が利用者の携帯端末Ｔにコンテンツを配信するシステムである。
【０００８】
キオスク端末１０は、無線機器１１、コンテンツサーバ１２、レコメンドサーバ１３、および、デジタル複合機（ＭＦＰ）１４と接続する。キオスク端末１０は、利用者自身が操作する装置である。キオスク端末１０は、利用者が携帯する携帯端末Ｔにコンテンツを配信する。キオスク端末１０は、複数の利用者が存在することが想定される場所に設置する。キオスク端末１０は、たとえば、スーパーマーケット、本屋、ＣＤショップ、レンタル屋、映画館、ライブ会場、駅、空港などに設置する。
【０００９】
キオスク端末１０は、携帯端末Ｔと通信する２つの通信機能を有する。２つの通信機能は、異なる通信方式である。  
第１の通信機能は、所定の通信範囲Ｅ１内で携帯端末Ｔと通信する機能である。キオスク端末１０は、第１の通信機能により通信範囲Ｅ１内に携帯端末Ｔで再生可能なお試しコンテンツを配信する。例えば、第１の通信機能は、無線機器１１を介して無線ＬＡＮなどの無線通信により携帯端末Ｔと通信する機能である。第１の通信機能は、無線機器１１が電波を送受信可能な範囲により通信範囲を限定する。
【００１０】
また、第２の通信機能は、キオスク端末１０の所定位置に近接した状態の携帯端末Ｔと通信する機能である。キオスク端末１０は、第２の通信機能によりコンテンツを携帯端末Ｔへダウンロードする。たとえば、第２の通信機能は、非接触通信（近接無線通信、近距離無線通信）などにより、第１の通信機能よりも狭い通信範囲（近接した状態）で携帯端末Ｔと通信する機能である。また、第２の通信機能としては、例えば、トンランスファージェット（登録商標）、ＮＦＣ、或いは、ＵＳＢなどの通信方式を適用する。
【００１１】
無線機器１１は、キオスク端末１０が第１の通信機能により携帯端末Ｔと無線通信するための電波を送受信する機器である。キオスク端末１０は、無線機器１１を介してお試しコンテンツを無線通信で携帯端末Ｔへ配信する。無線機器１１は、所定の通信範囲（受信範囲）Ｅ１で電波の送受信が可能である。携帯端末Ｔは、図１或いは図２に示すような無線機器１１の通信範囲Ｅ１内において、お試しコンテンツの再生（閲覧）が可能となる。キオスク端末１０と無線機器１１とは、ＬＡＮなどの通信回線で接続する。なお、無線機器１１は、キオスク端末１０に内蔵しても良い。
【００１２】
キオスク端末１０は、無線機器１１により電波を送受信することによって所定の通信範囲Ｅ１で無線通信を行う。無線機器１１は、携帯端末Ｔとの無線通信が可能な通信方式で、かつ、通信範囲を設定できる機器であれば良い。また、無線機器１１は、キオスク端末１０を操作した利用者の携帯端末Ｔと無線通信を行う。無線機器１１は、お試しコンテンツを再生可能とするエリアが通信範囲Ｅ１となるように設置される。図１は、キオスク端末１０が無線機器１１の通信範囲Ｅ１内となる構成例である。図２は、キオスク端末１０が無線機器１１の通信範囲Ｅ１外となる構成例である。
【００１３】
たとえば、無線機器１１は、漏洩同軸ケーブル（ＬＣＸ（Leaky Coaxial Cable））を使用したものが想定される。ＬＣＸとは、無線ＬＡＮなどの通信用の電波を放射するスロットを設けた同軸ケーブルである。ＬＣＸは、通信範囲を設定しやすく、設置自体も容易である。また、無線機器１１としては、ＬＣＸを用いたアクセスポイントとしてのＬＣＸタワーと称するものを適用しても良い。
【００１４】
コンテンツサーバ１２は、ディジタルコンテンツを管理するサーバである。コンテンツサーバ１２は、インターネット或いはＬＡＮなどのネットワークを介してキオスク端末１０と接続する。キオスク端末１０は、利用者に提供するディジタルコンテンツをコンテンツサーバ１２が取得する。キオスク端末１０は、予めコンテンツサーバ１２から取得するコンテンツをデータベース（ＤＢ）に蓄積しておくようにしても良い。キオスク端末１０は、利用者からのダウンロード（購入）要求に応じてコンテンツサーバ１２からコンテンツを取得するようにしても良い。
【００１５】
レコメンドサーバ１３は、レコメンドを実行するサーバである。レコメンドサーバ１３は、たとえば、各コンテンツに対する利用履歴に関する情報（コンテンツのダウンロード履歴、お試し履歴など）に基づいて利用者に勧めるコンテンツを判定する機能（レコメンドエンジン）を有する。レコメンドエンジンは、サーバ１３のプロセッサがレコメンド用のプログラムを実行することにより実現される機能である。レコメンドサーバ１３は、インターネット或いはＬＡＮなどのネットワークを介してキオスク端末１０と接続する。レコメンドサーバ１３は、レコメンドエンジンにより判定した利用者にレコメンドするコンテンツを示す情報をキオスク端末１０へ転送する。なお、レコメンドエンジンは、キオスク端末１０が有する構成であっても良い。
【００１６】
デジタル複合機（ＭＦＰ：Ｍｕｌｔｉ Ｆｕｎｃｔｉｏｎ Ｐｅｒｉｐｈｅｒａｌ）１４は、プリント、スキャン、画像処理、および、ＦＡＸなどの機能を有する複合機である。デジタル複合機１４は、ＬＡＮなどの通信回線を介してキオスク端末１０と接続する。また、キオスク端末１０は、ＢＣＰ（バーコードプリンタ）などの他の機器を接続しても良い。
【００１７】
携帯端末Ｔは、ユーザが携帯する端末である。携帯端末Ｔは、例えば、携帯電話機、スマートフォン、タブレットＰＣ、電子ブックリーダ、ノートＰＣなどの機器である。本実施形態において、携帯端末Ｔは、キオスク端末１０の第１の通信機能および第２の通信機能に対応する２つの通信機能を有する。例えば、携帯端末Ｔは、通信範囲Ｅ１において無線機器１１が送受信する電波によりキオスク端末１０と通信する。また、携帯端末Ｔは、キオスク端末１０の所定位置に近接した状態で近接無線通信（非接触通信）によりキオスク端末１０と通信する。
【００１８】
次に、本実施形態に係るキオスク端末１０の構成について説明する。  
図３は、キオスク端末１０の構成例を示すブロック図である。  
図３に示す構成例において、キオスク端末１０は、制御部２０、表示部（表示手段）２１、操作部２２、クロック２３、通信Ｉ／Ｆ２４、第１の通信Ｉ／Ｆ（配信手段）２５、第２の通信Ｉ／Ｆ２６、および、記憶部２７を有する。
【００１９】
制御部２０は、キオスク端末１０全体の制御およびデータ処理などを行う。制御部２０は、たとえば、ＣＰＵなどのプロセッサ、各種メモリ、各種の内部インターフェースなどにより構成する。制御部２０は、プロセッサがメモリに記憶したアプリケーションプログラムを実行することにより各種の処理を実現する。たとえば、制御部２０は、プロセッサがプログラムを実行することにより携帯端末Ｔへコンテンツを配信する制御を実現する。制御部２０は、プロセッサがプログラムを実行することにより、操作部２２による操作に応じて表示部２１の表示内容を制御する。
【００２０】
表示部２１および操作部２２は、ユーザインターフェース（ＵＩ）として機能する。表示部２１および操作部２２は、たとえば、タッチパネル内蔵の表示装置により構成する。表示部２１は、操作案内、配信するコンテンツの紹介画面、操作用のアイコンなどを有する種々の操作画面を表示する。操作部２２は、利用者が操作指示を入力するためのものである。例えば、操作部２２は、表示部２１が表示したアイコンをタッチパネルにより選択する。また、操作部２２は、キーボード、あるいは、マウスなどのポインティングデバイスなども良い。また、操作部２２は、利用者のジェスチャ操作による指示を入力するものであっても良いし、音声による指示を入力するものであっても良い。
【００２１】
クロック２３は、現在の日時を計時する。クロック２３は、たとえば、バッテリによりバックアップされた状態で駆動する。また、クロック２３は、外部のサーバと同期して現在時刻を補正するものであっても良いし、標準となる時刻を示す標準電波により現在時刻を補正するものであっても良い。
【００２２】
通信Ｉ／Ｆ２４は、外部サーバ（例えば、コンテンツサーバ１２、レコメンドサーバ１３）、あるいは、外部機器（例えば、ＭＦＰ１４、ＢＣＰ１５）との接続するためのインターフェースである。通信Ｉ／Ｆ２４は、各機器と接続するものであれば良く、接続形態を限定するものではない。たとえば、通信Ｉ／Ｆ２４は、インターネット或いはＬＡＮに接続するためのネットワークインターフェースであっても良いし、ローカルに外部装置を接続するものであっても良い。また、通信Ｉ／Ｆ２４は、複数の機器（サーバ、及び、外部機器）に接続するためのインターフェースであり、さまざまなプロトコルでの通信に対応する。図２に示す例では、通信Ｉ／Ｆ２４は、コンテンツサーバ１２、レコメンドサーバ１３、ＭＦＰ１４、および、ＢＣＰ１５に接続するインターフェースとして機能する。
【００２３】
第１の通信Ｉ／Ｆ２５および第２の通信Ｉ／Ｆ２６は、携帯端末Ｔと通信するためのインターフェースである。第１の通信Ｉ／Ｆ２５および第２の通信Ｉ／Ｆ２６は、それぞれ異なった通信方式で携帯端末Ｔと通信する。  
第１の通信Ｉ／Ｆ２５は、第１の通信範囲Ｅ１において携帯端末Ｔと通信するものであれば良い。第１の通信範囲は、お試しコンテンツを再生可能とするエリアとなるように設定する。たとえば、キオスク端末１０を含むキオスク端末１０の周辺でお試しコンテンツを再生可能とする運用であれば、第１の通信範囲は、図１に示すように、キオスク端末１０が通信範囲内になるように設定すれば良い。また、キオスク端末１０と離れた場所でお試しコンテンツを再生可能とする運用であれば、第１の通信範囲は、図２に示すようにキオスク端末１０が通信範囲外となるように設定すれば良い。
【００２４】
第１の通信Ｉ／Ｆ２５は、無線機器１１を用いた通信範囲が第１の通信範囲Ｅ１となる無線ＬＡＮ方式の無線通信を行うインターフェースで構成する。無線ＬＡＮ方式の無線通信としては、ＬＣＸを使った無線通信が想定される。なお、ＬＣＸは、電波の送受信範囲が同軸ケーブルを中心とした所定の範囲内となる無線通信技術であるため、通信範囲を設定しやすい。
【００２５】
また、第２の通信Ｉ／Ｆ２６は、コンテンツのダウンロードに適した通信方式のインターフェースである。第２の通信Ｉ／Ｆ２６は、キオスク端末１０に近接するエリアを通信範囲（第２の通信範囲）Ｅ２として携帯端末Ｔと通信するものであれば良い。第２の通信範囲Ｅ２は、第１の通信範囲Ｅ１により狭く、キオスク端末１０の所定位置（第２の通信Ｉ／Ｆの設置位置）に近接するエリアであれば良い。
【００２６】
第２の通信Ｉ／Ｆ２６は、近接状態の携帯端末Ｔに対して、簡単な操作で大容量のデータを高速に転送可能な通信方式を採用する。たとえば、第２の通信Ｉ／Ｆとしては、近接した状態で無線（非接触）通信を行う近距離無線通信（近接無線通信、非接触通信、近距離無線通信）方式を採用する。また、第２の通信Ｉ／Ｆに採用する近接無線通信技術としては、トランスファージェット（登録商標）、ＮＦＣなどが想定される。トランスファージェット（登録商標）、および、ＮＦＣは、携帯端末Ｔをインターフェースに近づけると、利用者による操作無しでデータ転送を行える通信方式である。たとえば、第２の通信Ｉ／Ｆ２６にトランスファージェット（登録商標）を採用すれば、キオスク端末１０は、利用者が携帯端末Ｔを通信範囲Ｅ２に移動させるだけで、コンテンツなどのデータを携帯端末Ｔへ転送できる。
【００２７】
なお、第１の通信Ｉ／Ｆ２５および第２の通信Ｉ／Ｆ２６は、運用形態、配信するコンテンツの種類、あるいは、携帯端末Ｔの通信機能などに応じた通信方式が採用される。また、第１の通信Ｉ／Ｆ２５および第２の通信Ｉ／Ｆ２６は、無線通信に限定されるものではない。たとえば、第２の通信Ｉ／Ｆ２６は、キオスク端末１０に設けたコネクタ部に通信ケーブル等で携帯端末Ｔを直接的に接続するインターフェースであっても良い。
【００２８】
記憶部２７は、種々のデータを記憶する。記憶部２７は、ＨＤＤ或いはＳＳＤなどの書換え可能な大容量の不揮発性メモリで構成する。また、記憶部２７は、コンテンツＤＢ３１、お試しＤＢ３２、コードＤＢ３３、お試し履歴ＤＢ３４などのデータベースを有する。
【００２９】
コンテンツＤＢ３１は、キオスク端末１０から携帯端末Ｔへダウンロードするコンテンツを保存する。お試しＤＢ３２は、お試し用のコンテンツ、および、お試し用のコンテンツの再生を制限するための制限情報を記憶する。コードＤＢ３３は、お試しコンテンツを再生するための情報をコード化したコード情報を保存する。コードＤＢ３３は、コード情報として、携帯端末Ｔで読取れる画像情報（例えば、二次元バーコード）を記憶する。履歴ＤＢ３４は、コンテンツのダウンロード履歴を示す履歴情報、および、お試しコンテンツの再生（実行）の履歴を示す履歴情報（お試し履歴情報）を保存する。
【００３０】
次に、本実施形態に係る携帯端末Ｔの構成について説明する。  
図４は、本実施形態に係る携帯端末Ｔの構成例を示す図である。  
図４に示す構成例において、携帯端末Ｔは、制御部４０、表示部４１、操作部４２、スピーカ４３、カメラ４４、第１の通信Ｉ／Ｆ４５、第２の通信Ｉ／Ｆ４６、および、記憶部４７を有する。
【００３１】
制御部４０は、携帯端末Ｔ全体の制御およびデータ処理などを行う。制御部４０は、たとえば、ＣＰＵなどのプロセッサ、各種メモリ、各種の内部インターフェースなどにより構成する。制御部４０は、プロセッサがメモリに記憶したプログラムを実行することにより各種の処理を実現する。また、制御部４０は、コンテンツを再生するために用いるキャッシュメモリを有する。制御部４０は、キャッシュメモリにデータを保存する期間などを制限する機能を有する。
【００３２】
たとえば、制御部４０は、プロセッサがアプリケーションプログラムを実行することによりキオスク端末１０の第２の通信Ｉ／Ｆ２６からダウンロードされるコンテンツを受信したり、受信したコンテンツを記憶部４７に保存したりする。また、制御部４０は、プロセッサがアプリケーションプログラムを実行することにより、キオスク端末１０からお試しコンテンツを再生（実行）するためのコード情報を取得したり、取得したコード情報を基にキオスク端末１０の第１の通信Ｉ／Ｆ２５により配信されるお試しコンテンツを再生したりする。
【００３３】
また、制御部４０は、プロセッサがアプリケーションプログラムを実行することにより、表示部４１及びスピーカ４３に用いてコンテンツを再生（実行）する機能を有する。例えば、制御部４０は、蓄積ＤＢ４８に蓄積した（キオスク端末からダウンロードした）コンテンツを再生する。また、制御部４０は、所定の通信範囲Ｅ１内で再生可能となるお試しコンテンツを再生する。たとえば、制御部４０は、キャッシュメモリにおけるデータの保存を制限することにより、お試しコンテンツの再生（実行）を所定の通信範囲Ｅ１に制限する。
【００３４】
表示部４１、操作部４２およびスピーカ４３は、ユーザインターフェース（ＵＩ）として機能する。表示部４１および操作部４２は、たとえば、タッチパネル内蔵の表示装置により構成する。表示部４１は、キオスク端末１０からダウンロードしたコンテンツを表示（再生）したり、お試しコンテンツを表示したり、操作用のアイコンを表示したりする。
【００３５】
操作部４２は、利用者が操作指示を入力するためのものである。例えば、操作部４２は、表示部４１の表示領域に設けたタッチパネルである。また、操作部４２は、キーボード、テンキー、あるいは、マウスなどのポインティングデバイスなどで構成しても良い。また、操作部４２は、利用者のジェスチャ操作を入力するものであっても良いし、音声による指示を入力するものであっても良い。
【００３６】
スピーカ４３は、音声を再生する。また、スピーカ４３は、ヘッドフォンなどへ音声信号を出力するインターフェースであっても良い。  
カメラ４４は、画像を撮影する。カメラ４４は、ＣＣＤセンサなどにより光学的に画像を読み取ることにより、撮影画像を画像データに変換する。カメラ４４は、たとえば、キオスク端末１０の表示部２１に表示されたコード情報を含む画像を撮影する。
【００３７】
第１の通信Ｉ／Ｆ４５および第２の通信Ｉ／Ｆ４６は、それぞれ異なった通信方式でキオスク端末１０と通信を行うためのインターフェースである。本実施形態において、第１の通信Ｉ／Ｆ４５は、キオスク端末１０の第１の通信Ｉ／Ｆ２５と通信するインターフェースである。例えば、キオスク端末１０の第１の通信Ｉ／Ｆ２５が無線ＬＡＮの無線通信方式を用いた無線通信を行うインターフェースであれば、第１の通信Ｉ／Ｆ４５は、無線ＬＡＮの無線通信方式を用いた無線通信を行うインターフェースで構成する。第２の通信Ｉ／Ｆ４６は、キオスク端末１０の第２の通信Ｉ／Ｆ２６と通信するインターフェースである。例えば、キオスク端末１０が第２の通信Ｉ／Ｆ２６が近接無線通信方式を用いた無線通信を行うインターフェースであれば、第２の通信Ｉ／Ｆ４６も近接無線通信方式を用いた無線通信を行うインターフェースで構成する。
【００３８】
記憶部４７は、種々のデータを記憶する。たとえば、記憶部４７は、ＨＤＤ或いはＳＳＤなどの書換え可能な大容量の不揮発性メモリで構成する。また、記憶部４７は、蓄積ＤＢ４８を有する。蓄積ＤＢ４８は、キオスク端末１０から取得（ダウンロード）したコンテンツを保存する。
【００３９】
次に、実施形態に係るキオスク端末１０及び携帯端末Ｔにおけるアプリケーションプログラムについて説明する。  
図５は、本実施形態に係るキオスク端末１０及び携帯端末Ｔにインストールされるアプリケーションプログラムの構成例を示す。  
キオスク端末１０には、制御部２０のプロセッサが実行するアプリケーションプログラムとして、キオスクアプリ５０とダウンロードアプリ５５とがインストールされている。キオスクアプリ５０及びダウンロードアプリ５５は、制御部２０内のメモリに記憶しても良いし、記憶部２７に記憶しても良い。キオスクアプリ５０は、キオスク端末１０を制御するためのプログラム（モジュール）群である。ダウンロードアプリ５５は、コンテンツをダウンロードする処理を行うためのプログラム（モジュール）群である。キオスクアプリ５０とダウンロードアプリ５５とは、相互に連携して処理を実行する。
【００４０】
図５に示す構成例において、キオスクアプリ５０は、コンテンツ管理モジュール５１、ＵＩ（ユーザインターフェース）モジュール５２、コード生成モジュール５３、および、お試しモジュール５４を有する。  
コンテンツ管理モジュール５１は、コンテンツを管理するためのプログラムである。ＵＩモジュール５２は、キオスク端末１０における表示部２１及び操作部２２などのユーザインターフェースを制御するためのプログラムである。コード生成モジュール５３は、お試しコンテンツにアクセスするためのコード情報を生成するプログラムである。お試しモジュール５３は、お試しコンテンツを提供するためのプログラムである。
【００４１】
ダウンロードアプリ５５は、送信モジュール５６を有する。送信モジュール５６は、第２の通信Ｉ／Ｆ２６によりコンテンツを転送するためのプログラムである。送信モジュール５６は、第２の通信Ｉ／Ｆ２６による携帯端末Ｔとの通信を制御する機能も有する。
【００４２】
図５に示す構成例において、携帯端末Ｔには、制御部４０のプロセッサが実行するアプリケーションプログラムとして、コンテンツ再生アプリ６０がインストールされている。キオスク端末１０が提供するコンテンツおよびお試しコンテンツを携帯端末Ｔで再生するためのプログラム（モジュール）群である。図５に示す構成例において、コンテンツ再生アプリ６０は、受信モジュール６１、保存モジュール６２、再生モジュール６３、コードリーダモジュール６４、および、アクセスモジュール６５を有する。
【００４３】
受信モジュール６１は、携帯端末Ｔの第２の通信Ｉ／Ｆ４６を用いてダウンロードされるコンテンツを受信するためのプログラムである。受信モジュール６１は、第２の通信Ｉ／Ｆ４６によるキオスク端末１０との通信を制御する機能も有する。保存モジュール６２は、コンテンツを保存するためのプログラムである。再生モジュール６３は、コンテンツを再生するためのプログラムである。コードリーダモジュール６４は、コード情報を読み取るためのプログラムである。コードリーダモジュール６４は、読み取ったコード情報をデコードする機能も有する。アクセスモジュール６５は、お試しコンテンツにアクセスするためのプログラムである。アクセスモジュール６５は、コード情報をデコードした情報（ＵＲＬ）によりお試しコンテンツにアクセスする。
【００４４】
次に、キオスク端末１０におけるコンテンツの管理について説明する。  
キオスク端末１０は、コンテンツおよびお試しコンテンツを管理する機能を有する。制御部２０は、コンテンツの分類（カテゴリ、ジャンル）に関する情報を格納したテーブル（カテゴリテーブル、ジャンルテーブル）およびコンテンツに関する情報を格納したテーブル（コンテンツテーブル）を用いてコンテンツを管理する。また、制御部２０は、コンテンツの利用に関する情報を管理するテーブル（履歴テーブル）を用いて利用状況及び利用履歴を管理する。
【００４５】
図６は、カテゴリテーブル３１ａの構成例である。  
カテゴリテーブル３１ａは、コンテンツのカテゴリに関する情報を格納する。キオスク端末１０は、各コンテンツをカテゴリで分類する。図６に示す構成例では、カテゴリテーブル３１ａは、カテゴリを識別するためのカテゴリＩＤとカテゴリ名とを対応づけて記憶する。制御部２０は、取り扱うコンテンツに関して、新たなカテゴリを追加する場合、或いは、既存のカテゴリを削除する場合、カテゴリテーブル３１ａを更新する。
【００４６】
図７は、ジャンルテーブル３１ｂの構成例である。  
ジャンルテーブル３１ｂは、コンテンツのジャンルに関する情報を格納する。キオスク端末１０は、各コンテンツを、カテゴリだけでなく、ジャンルでも分類する。図７に示す構成例では、ジャンルテーブル３１ｂは、ジャンルを識別するためのＩＤ（ジャンルＩＤ）とジャンルの名称を示すジャンル名とを対応づけて記憶する。制御部２０は、取り扱うコンテンツに関して、新たなジャンルを追加する場合、或いは、既存のジャンルを削除する場合にジャンルテーブル３１ｂを更新する。
【００４７】
図８は、コンテンツテーブル３１ｃの構成例である。  
コンテンツテーブル３１ｃは、コンテンツを管理する情報を格納する。コンテンツテーブル３１ｃは、各コンテンツについて、コンテンツＩＤとコンテンツ名とを対応づけて格納する。図８に示す例において、コンテンツテーブル３１ｃは、コンテンツＩＤ又はコンテンツ名で識別される個々のコンテンツに対応づけて、カテゴリおよびジャンルなどのコンテンツの分類に関する情報を格納する。コンテンツテーブル３１ｃは、各コンテンツに対応づけて、コンテンツの説明、コンテンツの評価などのコンテンツ情報を格納する。コンテンツテーブル３１ｃは、各コンテンツに対応づけて、お試しコンテンツにアクセスするための情報（お試しコンテンツのアクセス用ＵＲＬ）などのお試しコンテンツに関する情報を格納する。コンテンツテーブル３１ｃは、各コンテンツに対応づけて、コンテンツの保存先を示す情報（コンテンツデータのパス）などのコンテンツに関する情報を格納する。
【００４８】
図９は、履歴テーブル３１ａの構成例である。  
履歴テーブル３１ａは、コンテンツの利用状況を示す情報を格納する。図９に示す例では、履歴テーブル３１ａは、コンテンツに対して、お試しが実施された日時（お試し日時）、お試しが実施された総数（お試し回数）、および、コンテンツがダウンロード（購入）された回数（ダウンロード回数）を格納する。
【００４９】
たとえば、制御部２０は、履歴テーブル３１ａに格納する情報により、取り扱うコンテンツに関する利用状況を分析する。履歴テーブル３１ａに格納する情報は、取り扱うコンテンツに関して、売れ筋ランキングの作成、トレンド分析、レコメンドなどに利用可能である。また、制御部２０は、履歴テーブル３１ａに格納する情報により、お試し履歴画面に表示するリスト（コンテンツの表示リスト）を作成するためにも使用する。
【００５０】
次に、本実施形態に係るキオスク端末１０における操作画面の例について説明する。  
図１０乃至図１４は、キオスク端末１０の表示部２１が表示する操作画面の例である。  
図１０は、トップ画面１００の表示例である。  
トップ画面１００は、利用者による操作の初期画面となるメイン操作画面である。また、操作部２２による操作が無い状態において、キオスク端末１０の表示部２１は、待機画面としてトップ画面１００を表示する。図１０に示す例において、トップ画面１００は、案内１０１、お勧め一覧１０２、コンテンツ画面（ダウンロード選択画面）１０３、お試し履歴ボタン１０４、および、カテゴリ画面ボタン１０５を有する。
【００５１】
お勧め一覧１０２は、キオスク端末１０が利用者にお勧めする複数のコンテンツを並べて表示する。制御部２０は、レコメンドエンジンによるレコメンド処理で得られるレコメンド結果に基づいてお勧め一覧１０２に表示するお勧めコンテンツとして選出する。制御部２０は、レコメンド結果により選出したコンテンツを選択可能なコンテンツアイコンとしてお勧め一覧１０２に表示する。なお、制御部２０は、売れ筋ランキング順に選出したコンテンツ、トレンド分析により選出したコンテンツなどをお勧めコンテンツとしてお勧め一覧１０２に表示しても良い。
【００５２】
また、表示部２１は、お勧め一覧１０２において、利用者が選択可能なコンテンツアイコン１０２ａ〜１０２ｅとしてお勧めコンテンツを表示する。制御部２０は、お勧め一覧１０２に表示したコンテンツアイコン１０２ａ〜１０２ｅによるコンテンツの選択を受付ける。例えば、コンテンツアイコン１０２ａがタッチされると、制御部２０は、コンテンツアイコン１０２ａのコンテンツに関する情報を、トップ画面１００中のコンテンツ画面（ダウンロード選択画面）１０３、あるいは、後述するダウンロード選択画面１３０（図１３参照）として表示部２１に表示させる。
【００５３】
トップ画面１００中のコンテンツ画面（ダウンロード選択画面）１０３は、１つのコンテンツ（例えば、最もお勧めするコンテンツ、あるいは、お勧め一覧１０２で選択されたコンテンツ）に関する情報を表示する。図１０に示す表示例において、コンテンツ画面１０３は、コード情報１０３ａ、購入ボタン１０３ｂ、コンテンツ画像１０３ｃ、および、コンテンツ情報１０３ｄを有する。  
コード情報１０３ａは、携帯端末Ｔでデコードできる情報である。コード情報１０３ａは、当該コンテンツをお試しするための情報（お試しコンテンツにアクセスするための情報）をコード化した画像情報である。たとえば、コード情報１０３ａは、２次元コードである。制御部２０は、お試しコンテンツに関する情報をコード化することにより、携帯端末Ｔのカメラ４４で読取り可能な画像情報としてのコード情報１０３ａを生成する。制御部２０は、生成したコード情報１０３ａをコンテンツ画面（ダウンロード選択画面）内に表示する。
【００５４】
購入ボタン１０３ｂは、当該コンテンツの購入（ダウンロード）を指示するアイコンである。購入ボタン１０３ｂへのタッチを検知すると、制御部２０は、第２の通信Ｉ／Ｆ２６による携帯端末Ｔへのコンテンツのダウンロード処理を開始する。コンテンツ画像１０３ｃは、当該コンテンツの内容を紹介する画像情報である。コンテンツ情報１０３ｄは、当該コンテンツの内容を画像以外の情報（文字、記号など）で紹介する情報である。
【００５５】
また、お試し履歴ボタン１０４は、お試し履歴画面の表示を指示するボタンである。お試し履歴ボタン１０４へのタッチを検知すると、制御部２０は、お試し履歴画面を表示部２１に表示させる。カテゴリ画面ボタン１０５は、カテゴリ画面の表示を指示するボタンである。カテゴリ画面ボタン１０５へのタッチを検知すると、制御部２０は、カテゴリ選択画面を表示部２１に表示させる。
【００５６】
図１１は、カテゴリ選択画面１１０の表示例である。  
カテゴリ選択画面１１０は、利用者にカテゴリを選択させる操作画面である。たとえば、トップ画面１００においてカテゴリ画面ボタン１０５へのタッチを検知すると、制御部２０は、図１１に示すようなカテゴリ選択画面１１０を表示部２１に表示させる。図１１に示すカテゴリ選択画面１１０は、案内１１１、カテゴリ一覧１１２、バックボタン１１４およびトップボタン１１５を有する。
【００５７】
図１１に示すカテゴリ一覧１１２において、表示部２１は、タッチパネルにより選択可能なアイコン（カテゴリアイコン）１１２ａ〜１１２ｆとして複数のカテゴリを一覧表示する。利用者は、一覧表示されたカテゴリアイコン１１２ａ〜１１２ｆから表示させたいコンテンツのカテゴリが表示されたアイコンを選択する。何れかのカテゴリアイコン１１２ａ〜１１２ｆへのタッチを検知すると、制御部２０は、選択されたカテゴリからコンテンツを選択するためのコンテンツ選択画面１２０を表示する。また、カテゴリ選択画面１１０において、バックボタン１１４およびトップボタン１１５は、トップ画面１００に戻ることを指示する表示するボタンとして機能する。
【００５８】
図１２では、コンテンツ選択画面１２０の表示例である。  
コンテンツ選択画面１２０は、利用者にコンテンツを選択させる操作画面である。図１２に示す表示例は、１つのカテゴリとして「映画（ＭＯＶＩＥ）」が選択された場合のコンテンツ選択画面１２０である。例えば、カテゴリ選択画面１１０において「映画」アイコン１１２ａが選択された場合、制御部２０は、図１２に示すようなコンテンツ選択画面１２０を表示部２１に表示させる。図１２に示す表示例において、コンテンツ選択画面１２０は、案内１２１、コンテンツ一覧１２２、ジャンル一覧１２３、バックボタン１２４およびトップボタン１２５を有する。
【００５９】
表示部２１は、コンテンツを示す画像を表示したアイコン（コンテンツアイコン）１２２ａ〜１２２ｆをコンテンツ一覧１２２に表示する。制御部２０は、現在の設定条件（例えば、カテゴリ、ジャンル）で絞り込んだコンテンツのコンテンツアイコン１２２ａ〜１２２ｆをコンテンツ一覧１２２に表示させる。たとえば、図１２は、カテゴリが「映画（ＭＯＶＩＥ）」であるコンテンツのコンテンツアイコン１２２ａ〜１２２ｆをコンテンツ一覧１２２に表示した例である。
【００６０】
コンテンツ一覧１２２において、制御部２０は、１つのコンテンツアイコンの選択を受付ける。１つのコンテンツアイコンが選択（タッチ）されると、制御部２０は、選択されたアイコンに対応するコンテンツが利用者に選択されたものとする。コンテンツが選択された場合、制御部２０は、選択されたコンテンツのダウンロード選択画面１３０を表示部２１に表示させる。
【００６１】
また、コンテンツ選択画面１２０において、表示部２１は、ジャンルを示す情報（文字）を表示したアイコン（ジャンルアイコン）１２３ａ〜１２３をジャンル一覧１２３に表示する。図１２に示す表示例において、表示部２１は、コンテンツ選択画面１２０の左のフレームにジャンル一覧１２３を表示する。ジャンル一覧１２３において、制御部２０は、ジャンルアイコン１２３ａ〜１２３ｆの選択を受付ける。ジャンルアイコンが選択（タッチ）されると、制御部２０は、選択されたジャンルでコンテンツ一覧１２２に表示するコンテンツ（コンテンツアイコン）を絞り込む。
【００６２】
また、バックボタン１２４は、表示部２１の表示画面を直前の操作画面に戻ることを指示するボタンである。図１２に示すコンテンツ選択画面におけるバックボタン１２４は、直前の操作画面としてのカテゴリ選択画面１１０に戻ることを指示するボタンである。また、トップボタン１２５は、トップ画面１００に戻ることを指示するボタンである。
【００６３】
図１３は、ダウンロード選択画面１３０の表示例である。  
表示部２１は、１つのコンテンツを選択された場合にダウンロード選択画面１３０を表示する。ダウンロード選択画面１３０は、１つのコンテンツに関する情報を表示する。図１３に示す表示例において、ダウンロード選択画面１３０は、案内１３１、コンテンツ画面１３２、バックボタン１３４、および、トップボタン１３５を有する。また、コンテンツ画面１３２は、コード情報１３２ａ、購入ボタン１３２ｂ、コンテンツ画像１３２ｃ、および、コンテンツ情報１３２ｄを有する。
【００６４】
コード情報１３２ａは、当該コンテンツをお試しするための情報（お試しコンテンツにアクセスするための情報）をコード化した画像情報（たとえば、２次元コード）である。購入ボタン１３２ｂは、当該コンテンツの購入（ダウンロード）を指示するアイコンである。コンテンツ画像１３２ｃは、当該コンテンツの内容を紹介する画像情報である。コンテンツ情報１０３ｄは、当該コンテンツの内容を画像以外の情報（文字、記号など）で紹介する情報である。
【００６５】
また、バックボタン１３４は、直前の操作画面に戻ることを指示するボタンである。図１３に示すダウンロード選択画面１３０におけるバックボタン１３４は、直前の操作画面としてのコンテンツ選択画面１２０に戻ることを指示するボタンである。また、トップボタン１３５は、トップ画面１００に戻ることを指示するボタンである。
【００６６】
図１４は、お試し履歴画面１４０の表示例である。  
お試し履歴画面１４０は、お試し履歴により選出したコンテンツを選択可能な状態で表示する操作画面である。たとえば、図１０に示すトップ画面１００においてお試し履歴ボタン１０４が選択された場合、制御部２０は、図１４に示すようなお試し履歴画面を表示部２１に表示させる。図１４に示す表示例において、お試し履歴画面１４０は、案内１４１、コンテンツ一覧１４２、ソート一覧１４３、バックボタン１４４およびトップボタン１４５を有する。
【００６７】
また、バックボタン１４４は、直前の操作画面に戻ることを指示するボタンである。トップ画面１００からお試し履歴画面１４０に遷移した場合、バックボタン１４４は、直前の操作画面としてのトップ画面１００に戻ることを指示するボタンである。また、トップボタン１４５は、トップ画面１００に戻ることを指示するボタンである。
【００６８】
図１４に示す表示例において、コンテンツ一覧１４２は、お試し履歴の情報を用いて選出したコンテンツを表形式で表示する。たとえば、制御部２０は、お試し履歴に対する現在のソート条件でコンテンツをソートする。制御部２０は、ソートしたコンテンツを順番に並べたコンテンツ一覧１４２を作成する。制御部２０は、作成したコンテンツ一覧１４２を表示部２１に表示させる。図１４に示すコンテンツ一覧１４２は、順番に並べた各コンテンツについて種々の項目の情報を格納した表形式のリストである。
【００６９】
図１４に示す例では、コンテンツ一覧１４２は、各コンテンツについて、カテゴリ、コンテンツ名、お試し日時（最後のお試しされた日時）、お試し回数、ダウンロード回数、および、選択アイコン１４２ａ〜１４２ｅを表示する表である。なお、コンテンツ一覧１４２は、表形式に限定されるものではなく、例えば、コンテンツを示す画像を表示したアイコン（コンテンツアイコン）を並べて表示するものであっても良い。
【００７０】
コンテンツ一覧１４２における各コンテンツの選択アイコン１４２ａ〜１４２ｅは、当該コンテンツを選択するためのボタンである。コンテンツ一覧１４２において、制御部２０は、選択アイコン１４２ａ〜１４２ｅへの入力を受付ける。１つの選択アイコンが選択（タッチ）されると、制御部２０は、選択された選択アイコンに対応するコンテンツが利用者に選択されたものとする。コンテンツが選択された場合、制御部２０は、選択されたコンテンツのダウンロード選択画面１３０を表示部２１に表示させる。
【００７１】
また、お試し履歴画面１４０は、ソート条件を示す情報（文字）を表示したアイコン（ソートアイコン）１４３ａ〜１４３ｄを表示するソート一覧１４３を有する。ソートアイコン１４３ａ〜１４３ｄは、コンテンツ一覧１４２に表示するコンテンツを選出するためのソート条件を指定するボタンである。また、ソートアイコン１４３ａ〜１４３ｄが指定するソート条件は、コンテンツのお試し履歴に対するソート条件である。
【００７２】
ソート一覧１４３において、制御部２０は、ソートアイコン１４３ａ〜１４３ｄの選択を受付ける。ソートアイコンが選択（タッチ）されると、制御部２０は、選択されたソート条件でコンテンツ（コンテンツアイコン）をソートし、ソートした順番でコンテンツ一覧１４２にコンテンツを表示する。
【００７３】
例えば、図１４に示すソートアイコン１４３ａは、お試し履歴に対して、お試し日時順にコンテンツをソートすることを指示するボタンである。図１４に示すソートアイコン１４３ｂは、お試し履歴に対して、カテゴリ順でコンテンツをソートすることを指示するボタンである。図１４に示すソートアイコン１４３ｃは、お試し履歴に対して、お試し回数順でコンテンツをソートすることを指示するボタンである。図１４に示すソートアイコン１４３ｄは、お試し履歴に対して、ダウンロード回数順でコンテンツをソートすることを指示するボタンである。
【００７４】
また、ソート一覧１４３では、複数のソートアイコンを選択しても良い。複数のソートアイコンが選択されると、制御部２０は、選択された複数のソート条件を組み合わせてコンテンツをソートする。例えば、ソートアイコン１４３ａとソートアイコン１４３ｂとが選択された場合、制御部２０は、カテゴリ順とお試し日時順とを組み合わせてコンテンツをソートする。
【００７５】
また、お試し日時でソートする場合（図１４に示す例では、ソートアイコン１４３ａが選択された場合）、制御部２０は、お試し日時でコンテンツをソートするだけでなく、指定された期間（例えば、１日分、１週間分、１ヶ月分など）で表示するコンテンツを制限しても良い。
【００７６】
また、お試ししている利用者は、お試ししている間はお試し履歴を参照しない。このため、制御部２０は、利用者によるお試し時間中、当該お試しコンテンツに対するお試し履歴をお試し履歴画面の表示内容には反映しないようにしても良い。たとえば、お試しする時間を１０分と設定すると、制御部２０は、お試しコンテンツを配信してから１０分が経つまで、当該お試しコンテンツに対するお試し履歴をお試し履歴画面の表示内容には反映しないようにする。
【００７７】
ただし、複数の利用者によるお試し履歴を反映するお試し履歴画面は、他人のお試し履歴を参照することも想定される。このため、制御部２０は、お試しコンテンツを配信した後、直ぐに当該お試しコンテンツに対するお試し履歴をお試し履歴画面の表示内容に反映するようにしても良い。
【００７８】
上記のように、お試し履歴画面によれば、コンテンツのお試し履歴を参照してコンテンツを選択する利用者は、少ない操作手順でコンテンツを探すことができる。たとえば、コンテンツをお試しした利用者は、自身がお試しした日時などにより、少ない操作手順で所望のコンテンツを発見できる。また、実際にコンテンツをお試ししていない利用者であっても、お試し履歴画面において各利用者のお試し状況を参照してコンテンツを探すこともできる。
【００７９】
さらに、図１４に示すようなお試し履歴画面によれば、利用者は、お試し履歴に対してソート条件を指定でき、希望するソート条件でソートした順番でコンテンツを表示させることができる。
【００８０】
上記のように、キオスク端末は、お試し履歴画面においてお試し履歴の情報を使ったコンテンツのソートを行うことができ、お試ししたコンテンツの選択が容易になる。この結果、キオスク端末は、お試ししたコンテンツの購入を促進できる。また、キオスク端末は、お試し履歴画面においてお試し履歴の情報を使ったコンテンツのソートにより、お試ししたコンテンツ以外の他のコンテンツを試す機会を増やすことができる。
【００８１】
次に、キオスク端末１０における処理の流れについて説明する。  
図１５は、キオスク端末１０における処理の流れを概略的に説明するためのフローチャートである。  
キオスク端末１０の制御部２０は、プロセッサがキオスクアプリ５０のＵＩモジュール５２を実行することによりＵＩ（表示部２１及び操作部２２）の制御を実現する。従って、利用者による操作を受付けている状態において、キオスク端末１０の制御部２０は、プロセッサがキオスクアプリ５０のＵＩモジュール５２を実行することによりＵＩを制御する。
【００８２】
キオスク端末１０の制御部２０は、表示部２１に待機画面（メイン操作画面）としてトップ画面（ＴＯＰ）１００を表示する（ＡＣＴ１０）。さらに、制御部２０は、お試しの履歴情報に対するレコメンドによって選出されたコンテンツを選択可能なアイコンの形式でトップ画面１００のお勧め一覧１０２に表示する（ＡＣＴ１１）。
【００８３】
図１０に示すトップ画面１００の表示例では、制御部２０は、お勧め一覧１０２にお試しの履歴情報に対するレコメンドによって選出された上位５つのコンテンツのコンテンツアイコンを並べて表示する。また、制御部２０は、お試しの履歴情報に対するレコメンドによって選出された最上位のコンテンツに対するダウンロード（購入）の指示が可能なダウンロード選択画面（コンテンツ画面）１０３をトップ画面１００中に表示する。制御部２０は、後述するＡＣＴ１７−１９の処理により最上位のコンテンツに対するダウンロード（購入）の指示が可能なダウンロード選択画面（コンテンツ画面）を表示する。また、トップ画面１００のダウンロード選択画面１０３でコンテンツのダウンロードが選択された場合、制御部２０は、ＡＣＴ２１の処理を実行する。
【００８４】
また、図１０に示すトップ画面１００のお勧め一覧１０２から１つのコンテンツが選択された場合、制御部２０は、ＡＣＴ１７へ進む。なお、トップ画面１００のお勧め一覧１０２から１つのコンテンツが選択された場合、制御部２０は、トップ画面１００中に選択されたコンテンツに対するダウンロード選択画面１０３を表示するようにしても良いし、表示部２１の表示全体をトップ画面１００から選択されたコンテンツに対するダウンロード選択画面１３０に切り換えて表示しても良い。
【００８５】
トップ画面１００においてお試し履歴ボタン１０４へのタッチを検知した場合、つまり、お試し履歴画面の表示が選択された場合（ＡＣＴ１２、ＹＥＳ）、制御部２０は、履歴ＤＢ３４及び履歴テーブル３１ａを参照して、お試し履歴画面１４０のコンテンツ一覧１４２に表示するコンテンツの表示リストを生成する（ＡＣＴ１３）。制御部２０は、お試し履歴に対するソート条件に従ってコンテンツ（お試しコンテンツ）をソートした表示リストを生成する。お試し履歴に対するソート条件は、利用者の操作に従って決定する。たとえば、お試し履歴に対するソート条件は、図１４を参照して説明した、日時順、カテゴリ順、お試し順、ダウンロード順などがある。また、利用者によるソート条件の指示がなければ、制御部２０は、初期設定とするソート条件によりコンテンツをソートした表示リストを生成する。
【００８６】
お試し履歴画面用の表示リストを生成すると、制御部２０は、当該表示リストにおける順番でコンテンツを表示したコンテンツ一覧１４２を有するお試し履歴画面１４０を表示部２１に表示する（ＡＣＴ１４）。このＡＣＴ１４は表示手段の一部でもある。お試し履歴画面１４０を表示した状態において、制御部２０は、ソートアイコン１４３ａ〜１４３ｄの選択によるコンテンツのソートの指示を受付ける（ＡＣＴ１５）。何れかのソートアイコンが選択された場合（ＡＣＴ１５、ＹＥＳ）、制御部２０は、上記ＡＣＴ１３へ戻り、表示リストの生成およびお試し履歴画面におけるコンテンツ一覧の更新を行う。
【００８７】
なお、制御部２０は、お試し履歴画面１４０においてバックボタン１４４が選択された場合には、表示部２１に表示する操作画面を直前の操作画面に戻し、トップボタン１４５が選択された場合には、表示部２１に表示する操作画面をトップ画面１００に戻す。また、所定時間以上の無操作状態が継続した場合にもトップ画面１００に戻るようにしても良い。
【００８８】
また、コンテンツが選択された場合（ＡＣＴ１６、ＹＥＳ）、制御部２０は、選択されたコンテンツに関する情報を表示するダウンロード選択画面１３０を表示する（ＡＣＴ１７）。制御部２０は、選択されたコンテンツについて、お試しコンテンツにアクセスするためのコード情報を生成するコード生成処理を行う（ＡＣＴ１８）。お試しコンテンツにアクセスするためのコード情報は、携帯端末Ｔでデコードできる２次元バーコードなどのコード情報である。コード生成処理は、制御部２０がお試しコンテンツにアクセスするための情報をコード化したコード情報を生成する処理である。コード生成処理については、後で詳細に説明する。
【００８９】
コード生成処理によりコード情報を生成すると、制御部２０は、生成したコード情報１３２ａをダウンロード選択画面１３０上に表示する（ＡＣＴ１９）。ＡＣＴ１７〜１９の処理により、制御部２０は、ダウンロード選択画面１３０において、コンテンツのダウンロード（購入）を指示する購入ボタン１３２ｂとともに、お試しコンテンツにアクセスするためのコード情報１３２ａを表示する。たとえば、利用者の携帯端末Ｔは、ダウンロード選択画面１３０上に表示されたコード情報１３２を読み取ることにより、当該コンテンツのお試しコンテンツにアクセスできる。携帯端末Ｔによるお試しコンテンツの再生については、後で詳細に説明する。
【００９０】
ダウンロード選択画面１３０に表示した購入ボタン１３２ｂへのタッチを検知した場合、つまり、コンテンツのダウンロード（購入）が選択された場合（ＡＣＴ２０、ＹＥＳ）、制御部２０は、表示中のコンテンツのダウンロード処理を実行する（ＡＣＴ２１）。コンテンツのダウンロード処理は、第２の通信Ｉ／Ｆ２６により携帯端末Ｔへコンテンツを転送する処理である。コンテンツのダウンロード処理については、後で詳細に説明する。
【００９１】
また、トップ画面１００においてカテゴリ画面ボタン１０５へのタッチを検知した場合、つまり、カテゴリ選択画面の表示が選択された場合（ＡＣＴ２２、ＹＥＳ）、制御部２０は、カテゴリ選択画面１１０を表示部２１に表示する（ＡＣＴ２３）。カテゴリ選択画面１１０は、たとえば、図１１に示すように、表示するコンテンツのカテゴリを選択する操作画面である。
【００９２】
カテゴリ選択画面１１０を表示した状態において、制御部２０は、カテゴリアイコン１１２ａ〜１１２ｆの選択によるカテゴリの選択を受付ける（ＡＣＴ２４）。何れかのカテゴリアイコンへのタッチを検知した場合、つまり、カテゴリが選択された場合（ＡＣＴ２４、ＹＥＳ）、制御部２０は、コンテンツ選択画面用の表示リストとして、選択されたカテゴリを含む検索条件で絞り込んだコンテンツの表示リストを生成する（ＡＣＴ２５）。また、カテゴリ以外にもジャンルが検索条件として選択されている場合、制御部２０は、カテゴリ及びジャンルを検索条件として絞り込んだコンテンツの表示リストを生成する。
【００９３】
コンテンツ選択画面用の表示リストを生成すると、制御部２０は、当該表示リストにおける順番でコンテンツを表示したコンテンツ一覧１２２を含むコンテンツ選択画面１２０を表示部２１に表示する（ＡＣＴ２６）。コンテンツ選択画面１２０は、たとえば、図１２に示すように、選択可能なコンテンツの一覧を表示する操作画面である。このようなコンテンツ選択画面においてコンテンツアイコン１２２ａ〜１２２ｆへのタッチを検知した場合、つまり、１つのコンテンツが選択された場合、制御部２０は、ＡＣＴ１７へ進む。
【００９４】
また、図１２に示すコンテンツ選択画面１２０は、表示するコンテンツのジャンルを選択するジャンル一覧１２３を有する。コンテンツ選択画面１２０のジャンル一覧１２３で何れかのジャンルアイコン１２３ａ〜１２３ｅが選択された場合（ＡＣＴ２７、ＹＥＳ）、制御部２０は、ＡＣＴ２５へ戻り、選択されたジャンルを含む検索条件で表示リストを作成する。
【００９５】
なお、制御部２０は、図１２に示すコンテンツ選択画面１２０においてバックボタン１２４が選択された場合には、表示部２１に表示する操作画面をカテゴリ選択画面１１０へ戻す。また、制御部２０は、トップボタン１２５が選択された場合には、表示部２１に表示する操作画面をトップ画面１００に戻す。また、制御部２０は、所定時間以上の無操作状態が継続した場合にも、表示部２１が表示する操作画面をトップ画面にしても良い。
【００９６】
次に、キオスク端末１０におけるコード情報の生成処理（コード生成処理）について説明する。  
図１６は、キオスク端末１０におけるコード生成処理を説明するためのフローチャートである。  
コンテンツを表示する場合、キオスク端末１０の制御部２０は、表示するコンテンツのお試しコンテンツにアクセスするためのコード情報を表示部２１に表示する。制御部２０は、コンテンツを表示部２１に表示するごとに、コード生成処理によりお試しコンテンツにアクセスするためのコード情報を生成する。コード生成処理は、キオスク端末１０の制御部２０においてプロセッサがキオスクアプリ５０のお試しモジュール５４を実行することにより実現される。
【００９７】
コード生成処理において、制御部２０は、表示するコンテンツ（お試しの対象となるコンテンツ）のコンテンツＩＤを取得する（ＡＣＴ３１）。また、制御部２０は、表示するコンテンツのお試しコンテンツにアクセスするための所定のアクセス用ＵＲＬを取得する（ＡＣＴ３２）。さらに、制御部２０は、クロック２３が計時する現在の日時情報を取得する（ＡＣＴ３３）。
【００９８】
制御部２０は、コンテンツＩＤ、アクセス用ＵＲＬ及び現在の日時情報の３つの情報を含む１つの情報を暗号化する（ＡＣＴ３４）。なお、情報を暗号化する方法は、特定の暗号化方式に限定されない。コンテンツＩＤ、アクセス用ＵＲＬ及び現在の日時情報を暗号化すると、制御部２０は、暗号化した情報をパラメータとするお試しコンテンツを閲覧するためのＵＲＬ（お試し用ＵＲＬ）を生成する（ＡＣＴ３５）。お試し用ＵＲＬを生成すると、制御部２０は、生成したお試し用ＵＲＬをコード化することによりコード情報を生成する（ＡＣＴ３６）。
【００９９】
上述したコード生成処理によれば、キオスク端末の制御部は、暗号化したアクセス用ＵＲＬを含む情報をパラメータとするお試し用ＵＲＬを生成する。このため、お試しＵＲＬをコード化したコード情報からはお試しコンテンツに直接的にアクセスするアクセス用ＵＲＬが判別できない。この結果として、キオスク端末は、お試しコンテンツにアクセスするアクセス用ＵＲＬを秘匿（暗号化）した状態でお試し用ＵＲＬを利用者に提供できる。
【０１００】
また、上述したコード生成処理によれば、キオスク端末の制御部は、当該コード情報を作成した日時を暗号化した情報を含む情報をパラメータとするお試し用ＵＲＬを生成する。これにより、キオスク端末は、コード情報として利用者に提供するお試し用ＵＲＬに対して有効期限を設定した運用が可能となる。たとえば、キオスク端末は、コード情報を作成した日時から所定有効期限が経過したお試し用ＵＲＬを無効とし、当該お試し用ＵＲＬによるお試しコンテンツの再生を禁止する制御（制限）が可能となる。
【０１０１】
次に、お試しコンテンツの配信について説明する。  
まず、お試しコンテンツを再生する場合の携帯端末Ｔの処理について説明する。  
図１７は、携帯端末Ｔがお試しコンテンツを再生する処理の流れを説明するためのフローチャートである。  
上述したように、キオスク端末１０は、ダウンロード選択画面１３０あるいはトップ画面１００のコンテンツ画面１０３においてコンテンツをお試しするためのコード情報（お試しコンテンツにアクセスするためのコード情報）を表示部２１に表示する。これに対して、携帯端末Ｔは、キオスク端末１０の表示部２１が表示するコード情報を読み取り、コード情報が示すお試し用ＵＲＬを用いてお試しコンテンツを再生（実行）する。
【０１０２】
まず、携帯端末Ｔの制御部４０は、利用者の操作に応じて、コード情報を読み取るためのアプリケーションプログラム（コードリーダモジュール）を起動する。コードリーダモジュールが起動すると、制御部２０は、利用者に操作によってキオスク端末１０の表示部２１が表示するコード情報を含む画像をカメラ４４で撮影する。制御部２０は、カメラ４４が撮影した画像からコード情報を抽出する（ＡＣＴ３１）。制御部２０は、カメラ４４が撮影した画像から抽出したコード情報をデコードする（ＡＣＴ３２）。
【０１０３】
コード情報は、お試し用ＵＲＬをコード化した情報である。従って、制御部２０がデコードした情報は、お試し用ＵＲＬを含む情報である。制御部２０は、コード情報をデコードした情報としてのお試し用ＵＲＬをＲＡＭなどのメモリに保持する（ＡＣＴ４３）。お試し用ＵＲＬをメモリに保存した状態において、制御部２０は、お試し用ＵＲＬへのアクセス指示（お試し用ＵＲＬによるお試しコンテンツへのアクセス指示）の入力待ちとする（ＡＣＴ４４）。
【０１０４】
なお、図１７に示す処理例では、制御部２０は、操作部２２によるアクセス指示の入力を受けて、お試し用ＵＲＬによるお試しコンテンツへのアクセス処理を開始するものとする。ただし、制御部２０は、コード情報をデコードすると、操作部２２によるアクセス指示なしで、お試し用ＵＲＬによるお試しコンテンツへのアクセス処理を開始するようにしても良い。
【０１０５】
お試し用ＵＲＬへのアクセス指示が操作部４２に入力された場合（ＡＣＴ４４、ＹＥＳ）、制御部２０は、第１の通信Ｉ／Ｆによるキオスク端末１０との通信を制御するアプリケーションプログラム（アクセスモジュール）を起動する。アクセスモジュールが起動すると、制御部２０は、第１の通信Ｉ／Ｆ４５によるキオスク端末１０との通信状態をチェックする（ＡＣＴ４５）。
【０１０６】
第１の通信Ｉ／Ｆ４５によるキオスク端末１０との通信状態が確立していない場合（ＡＣＴ４５、ＮＯ）、制御部４０は、第１の通信Ｉ／Ｆ４５によるキオスク端末１０との接続処理を実行する（ＡＣＴ４６）。携帯端末Ｔが通信範囲Ｅ１内にあれば、携帯端末Ｔの第１の通信Ｉ／Ｆは、無線機器１１を介したキオスク端末１０との通信が可能となる。第１の通信Ｉ／Ｆ４５によるキオスク端末１０との接続処理は、利用者によるキオスク端末１０との接続指示に応じて行うようにしても良いし、お試し用ＵＲＬへのアクセス指示に応じて行うようにしても良い。また、携帯端末Ｔは、通信範囲Ｅ１にある場合、常時、第１の通信Ｉ／Ｆ４５によりキオスク端末１０と接続するようにしても良い。
【０１０７】
第１の通信Ｉ／Ｆ４５によるキオスク端末１０との通信状態が確立できない場合（ＡＣＴ４７、ＮＯ）、携帯端末Ｔの制御部４０は、エラー処理を行う（ＡＣＴ５０）。例えば、エラー処理として、制御部４０は、第１の通信Ｉ／Ｆ４５によるキオスク端末１０との通信状態が確立できない旨を表示部４１に表示するなどのエラー報知を行う。
【０１０８】
第１の通信Ｉ／Ｆ４５によるキオスク端末１０との通信状態が確立している場合（ＡＣＴ４５、ＹＥＳ）、あるいは、接続処理によって第１の通信Ｉ／Ｆ４５によるキオスク端末１０との通信状態が確立した場合（ＡＣＴ４７、ＹＥＳ）、制御部２０は、第１の通信Ｉ／Ｆ４５を用いた無線通信により、お試し用ＵＲＬへのアクセス処理を実行する（ＡＣＴ４８）。
【０１０９】
アクセス処理として、制御部４０は、第１の通信Ｉ／Ｆ４５によりお試し用ＵＲＬをキオスク端末１０へ送信する。お試し用ＵＲＬを送信した後、制御部４０は、お試しコンテンツへのアクセスの可否を示す通知待ちする。キオスク端末１０からお試しコンテンツへのアクセス不可を示す通知を受けた場合、制御部４０は、エラー処理を行う（ＡＣＴ５０）。たとえば、制御部４０は、エラー処理として、お試し用ＵＲＬでのお試しコンテンツの閲覧（再生）が不可となった旨の案内を表示部４１に表示する。
【０１１０】
また、キオスク端末１０からお試しコンテンツへのアクセス許可を示す通知を受けた場合、制御部４０は、お試しコンテンツを再生するためのアプリケーションプログラム（再生モジュール）を起動する。再生モジュールが起動すると、制御部４０は、キオスク端末１０から配信されるお試しコンテンツを再生する（ＡＣＴ５０）。キオスク端末１０から配信されるお試しコンテンツは、通信範囲Ｅ１外では再生（実行）できなくなるような制限情報が含む。このため、制御部４０は、お試しコンテンツを再生するとともに、制限情報に従ってお試しコンテンツの再生を制限する。たとえば、制限情報は、お試しコンテンツのキャッシュを不可とするものであっても良いし、お試しコンテンツのキャッシュを時間制限するものであっても良い。また、制限情報は、例えば、所定周期ごとにキオスク端末１０との通信状態をチェックし、キオスク端末１０との通信状態が確認できた場合にお試しコンテンツを再生可とするものであっても良い。
【０１１１】
制御部４０は、お試しコンテンツとともに受信する制限情報による制限内の状態であれば（ＡＣＴ５２、ＹＥＳ）、キオスク端末１０から配信されるお試しコンテンツの再生を継続する（ＡＣＴ５０）。また、制御部４０は、お試しコンテンツとともに受信する制限情報による制限を超えた場合（ＡＣＴ５２、ＮＯ）、お試しコンテンツの再生を中止し、キャッシュメモリに蓄積したお試しコンテンツをクリアする（ＡＣＴ５３）。
【０１１２】
上述した処理によれば、携帯端末は、第１の通信Ｉ／Ｆによる無線通信の通信範囲内において、キオスク端末が配信するお試しコンテンツを再生でき、お試しコンテンツとともに受信する制限情報によって通信範囲外での再生を制限できる。また、携帯端末は、キオスク端末の表示部に表示されるコード情報を読み取ることにより、お試しコンテンツの再生を要求できるお試し用ＵＲＬを取得でき、お試しコンテンツを再生するための操作を簡略化できる。
【０１１３】
次に、キオスク端末１０がお試しコンテンツを携帯端末Ｔへ配信する処理について説明する。  
図１８は、キオスク端末１０が携帯端末Ｔへお試しコンテンツを配信する処理の流れを説明するためのフローチャートである。  
キオスク端末１０の制御部２０は、第１の通信Ｉ／Ｆ２５により無線機器１１を介して通信状態が確立している携帯端末Ｔからのお試し用ＵＲＬを受付ける。第１の通信Ｉ／Ｆ２５により無線機器１１を介して携帯端末Ｔからお試し用ＵＲＬを受信した場合（ＡＣＴ６１、ＹＥＳ）、制御部２０は、お試しコンテンツの配信処理を実行する。例えば、制御部２０は、キオスクアプリ５０のお試しモジュール５４によりお試しコンテンツの配信処理を実行する。
【０１１４】
お試しモジュールを起動すると、制御部２０は、受信したお試し用ＵＲＬを復号化する（ＡＣＴ６２）。制御部２０は、コード生成処理で用いた暗号化方式に対応する復号化方式により、お試し用ＵＲＬを復号化する。制御部２０は、コード生成処理において、コンテンツＩＤ、アクセス用ＵＲＬおよび日時情報を含む情報を暗号化したものをお試し用ＵＲＬとする。従って、お試し用ＵＲＬを復号化した情報は、コンテンツＩＤ、アクセス用ＵＲＬおよび日時情報を含む情報である。
【０１１５】
お試し用ＵＲＬを復号化すると、制御部２０は、お試し用ＵＲＬを復号化した情報からお試し用ＵＲＬ（コード情報）を生成した日時を示す日時情報を抽出する（ＡＣＴ６３）。制御部２０は、クロック２３が計時する現在日時を取得する（ＡＣＴ６４）。制御部２０は、お試し用ＵＲＬから抽出した日時情報と現在日時とに基づいて受信したお試し用ＵＲＬが有効時間内であるか否かを判断する（ＡＣＴ６５）。有効時間は、予め設定される情報である。例えば、有効時間は、コード情報（お試し用ＵＲＬ）を作成した時からの経過時間に対して設定する。この場合、制御部２０は、現在日時とお試し用ＵＲＬから抽出した日時（コード情報の生成日時）との差分が有効時間としての閾値内であるか否かにより、お試し用ＵＲＬが有効時間内（有効）か否かを判断する。
【０１１６】
例えば、有効時間としての閾値を１０分とすると、制御部２０は、コード情報の生成日時から現在までの経過時間が、１０分未満か１０分以上かを判断する。コード情報の生成からの経過時間が１０分未満であれば、制御部２０は、受信したお試し用ＵＲＬを有効と判断する。また、コード情報の生成からの経過時間が１０分以上経っていれば、制御部２０は、受信したお試し用ＵＲＬを無効と判断する。これにより、キオスク端末１０は、お試しコンテンツを再生するためのお試し用ＵＲＬを期間限定のコード情報として利用者に提供することができる。
【０１１７】
お試し用ＵＲＬが有効時間内で無いと判断した場合（ＡＣＴ６５、ＮＯ）、制御部２０は、携帯端末Ｔでのお試しコンテンツの再生を不可と判断し、エラー処理を行う（ＡＣＴ６６）。たとえば、エラー処理として、制御部２０は、エラー画面用のＵＲＬにリダイレクトし、お試しコンテンツを再生できないようにする。また、制御部２０は、エラー処理として、第１の通信Ｉ／Ｆ２５により当該お試し用ＵＲＬの送信元の携帯端末Ｔへお試し用ＵＲＬが有効時間切れのために無効であることを通知するようにしても良い。
【０１１８】
お試し用ＵＲＬが有効時間内であると判断した場合（ＡＣＴ６５、ＹＥＳ）、制御部２０は、お試しコンテンツをお試し用ＵＲＬの送信元の携帯端末Ｔへ配信する処理を行う。制御部２０は、お試し用ＵＲＬをデコードした情報に含まれるアクセス用ＵＲＬを抽出する（ＡＣＴ６７）。制御部２０は、抽出したアクセス用ＵＲＬを参照してお試しコンテンツのアクセス先にリダイレクトする（ＡＣＴ６８）。
【０１１９】
さらに、制御部２０は、携帯端末Ｔによるお試しコンテンツの再生に対する制限情報を生成する（ＡＣＴ６９）。制御部２０は、生成した制限情報を第１の通信Ｉ／Ｆ２５により携帯端末Ｔへ配信する（ＡＣＴ７０）。このＡＣＴ７０は配信手段の一部でもある。制限情報は、例えば、お試しコンテンツのキャッシュを禁止したり、お試しコンテンツのキャッシュを時間で制限したりするものである。また、制限情報は、携帯端末Ｔによるお試しコンテンツの再生を携帯端末Ｔが第１の通信Ｉ／Ｆ２５による通信範囲Ｅ１に制限できるものであれば良い。また、制限情報としては、再生回数（例えば、１回）を制限するものであっても良いし、再生可能な時間（例えば、所定時間以内）を制限するものであっても良い。
【０１２０】
第１の通信Ｉ／Ｆ２５により携帯端末Ｔへお試しコンテンツを配信した場合、制御部２０は、お試しコンテンツを配信したことを示す履歴情報（お試し履歴）を記憶する（ＡＣＴ７１）。このＡＣＴ７１は記憶手段の一部でもある。制御部２０は、お試しコンテンツを配信したことを示す履歴情報を履歴ＤＢ３４に保存するとともに、履歴テーブル（記憶手段）３１ｄを更新する。例えば、制御部２０は、履歴テーブル３１ｄに対して、お試しコンテンツを配信したコンテンツのコンテンツＩＤに対応するお試し回数をインクリメント（＋１）する。
【０１２１】
お試し履歴を記憶すると、制御部２０は、履歴ＤＢ３４に記憶したお試し履歴および履歴テーブル３１ｄに記憶したお試し履歴の集計データを用いたレコメンド処理を行う（ＡＣＴ７２）。制御部２０は、レコメンド処理として、レコメンドサーバ１３にレコメンドを依頼して、レコメンド結果をレコマンドサーバ１３から取得する。また、キオスク端末１０のレコマンドエンジン（レコメンド用のアプリケーションプログラム）は、キオスク端末１０にインストールするようにしても良い。レコメンドエンジンをインストールしたキオスク端末１０の制御部２０は、レコメンド処理として、プロセッサがレコメンドエンジンを実行することよりレコメンドを実施しても良い。
【０１２２】
レコマンド結果を取得すると、制御部２０は、レコマンド結果に基づくコンテンツの表示リストを生成し、生成した表示リストを記憶部に記憶する（ＡＣＴ７３）。例えば、制御部２０は、トップ画面を表示する場合、記憶部が記憶するレコマンド結果に基づくコンテンツの表示リストに従ってお勧め一覧１０２およびダウンロード選択画面１０３を表示する。
【０１２３】
なお、レコメンド処理およびレコメンド結果に基づくコンテンツの表示リストの生成は、図１８に示す手順に限定されるものではなく、任意のタイミングで実施可能である。つまり、制御部２０は、レコメンド処理およびレコメンド結果に基づくコンテンツの表示リストの生成を、必要に応じて適宜実施するようにしても良い。例えば、制御部２０は、トップ画面１００を表示する場合にレコメンド処理およびレコメンド結果に基づくコンテンツの表示リストの生成を実行するようにしても良い。
【０１２４】
上述した処理によれば、キオスク端末は、携帯端末によるお試しコンテンツを限定した範囲内で再生（実行）可能とする。また、キオスク端末は、携帯端末によるお試しコンテンツの再生（実行）は、第１の通信Ｉ／Ｆの通信範囲などの空間で制限しても良いし、再生可能時間などの時間で限定しても良いし、再生回数などの回数で制限しても良い。これにより、キオスク端末を含む情報配信システムでは、キオスク端末あるいは第１の通信Ｉ／Ｆの通信範囲にお試しコンテンツを再生する利用者を集客できる。
【０１２５】
次に、ダウンロード処理について説明する。  
図１９は、キオスク端末におけるコンテンツのダウンロード処理の流れを説明するためのフローチャートである。  
キオスク端末１０の表示部２１が表示するコンテンツのダウンロード（購入）を指示する購入ボタンへのタッチを検知した場合（ＡＣＴ８１、ＹＥＳ）、制御部２０は、キオスクアプリ５０のＵＩモジュール５２及びコンテンツ管理モジュール５１により購入（ダウンロード）が指示されたコンテンツのコンテンツＩＤを特定する。
【０１２６】
ダウンロードするコンテンツのコンテンツＩＤを特定すると、制御部２０は、ダウンロードアプリ５５の送信モジュール５６を起動する。送信モジュールが起動すると、制御部２０は、特定したコンテンツＩＤに対応するコンテンツのダウンロード処理を開始する。まず、制御部２０は、第２の通信Ｉ／Ｆ２６による携帯端末Ｔとの接続処理を行う（ＡＣＴ８２）。制御部２０は、第２の通信Ｉ／Ｆ２６により応答要求を出力し、携帯端末Ｔからの応答信号を受けることにより携帯端末Ｔとの通信状態を確立する。
【０１２７】
例えば、利用者は、キオスク端末１０の第２の通信Ｉ／Ｆ２６の設置部分に携帯端末Ｔを近接させる。すると、第２の通信Ｉ／Ｆ２６と携帯端末Ｔとは、互いに信号を送受信することにより通信状態を確立する。このような接続処理によれば、利用者による操作部への操作無しでも第２の通信Ｉ／Ｆ２６と携帯端末Ｔとの通信接続を実現できる。
【０１２８】
第２の通信Ｉ／Ｆ２６と携帯端末Ｔとが通信状態が確立した場合（ＡＣＴ８３、ＹＥＳ）、制御部２０は、第２の通信Ｉ／Ｆ２６により当該コンテンツのデータ（コンテンツＩＤに対応するコンテンツパスにあるデータ）を携帯端末Ｔへ転送（ダウンロード）する（ＡＣＴ８４）。また、コンテンツのダウンロードに伴って利用者に対する課金が必要であれば、制御部２０は、第２の通信Ｉ／Ｆ２６による携帯端末Ｔとの通信により課金処理を実行するようにしても良い。
【０１２９】
コンテンツのダウンロード中において、制御部２０は、コンテンツの転送が完了したかを判断する（ＡＣＴ８５）。コンテンツの転送が完了していない場合（ＡＣＴ８５、ＮＯ）、制御部２０は、送信中にエラーになったかどうか否かを判断する（ＡＣＴ８６）。送信中エラーになった場合（ＡＣＴ８６、ＹＥＳ）、制御部２０は、ＡＣＴ８２へ遷移し、再度キオスク端末の第２の通信Ｉ／Ｆ２６と携帯端末Ｔとの接続処理を実行する。
【０１３０】
送信中のエラーを検出すること無しでコンテンツの転送が完了した場合（ＡＣＴ８５、ＹＥＳ）、制御部２０は、履歴情報を更新する（ＡＣＴ８７）。制御部２０は、キオスクアプリのコンテンツ管理モジュールにより、コンテンツをダウンロードしたことを示す履歴情報を履歴ＤＢ３４に保存するとともに、履歴テーブル３１ｄを更新する。例えば、制御部２０は、履歴テーブル３１ｄにおける当該コンテンツのコンテンツＩＤに対応するダウンロード回数をインクリメントする。
【０１３１】
上述の処理によれば、キオスク端末は、近接状態でのデータの転送を行う第２の通信Ｉ／Ｆと携帯端末との通信により、コンテンツを利用者の携帯端末へダウンロードする。これにより、ダウンロードが完了したコンテンツは、ダウンロードした携帯端末での再生（実行）が可能となる。
【０１３２】
上記のように、本実施形態に係るキオスク端末は、コンテンツをお試ししたい場合、あるは、コンテンツを購入したい場合で、コンテンツを配信する方法を変える。キオスク端末は、コンテンツのお試しを希望する利用者に対しては、所定の通信範囲で通信可能となる通信方式でお試しコンテンツを配信するとともに、お試しコンテンツの再生を限られた範囲内とする。また、キオスク端末は、コンテンツの購入を希望する利用者に対しては、簡素な操作で近接状態の携帯端末へデータを転送できる近接通信方式でコンテンツを配信する。これにより、キオスク端末は、目的や用途に合わせた複数の配信方法で、ディジタルコンテンツを配信することができる。
【０１３３】
利用者は、コンテンツを購入する前に中身を確かめたい欲求がある。キオスク端末は、お試ししたいコンテンツについては、第２の通信Ｉ／Ｆを用いてお試しコンテンツ（コンテンツの一部又はデータ量を圧縮したコンテンツ全体）を配信する。お試しコンテンツは、第２の通信Ｉ／Ｆの通信範囲外では再生不可に制限しつつ、第２の通信Ｉ／Ｆの通信範囲内においてキオスク端末で提示される情報を基に再生できるデータである。
【０１３４】
例えば、本屋での運用形態の例について説明する。キオスク端末１０は、本屋内を第１の通信Ｉ／Ｆ２５による無線通信が可能な通信範囲Ｅ１とする。すると、本屋内（通信範囲Ｅ１内）では、利用者は、無線機器１１を介して配信される電子ブックなどのお試しコンテンツを携帯端末Ｔにより読むこと（お試し）ができる。さらに、コンテンツをお試しした利用者は、当該コンテンツを購入したくなったら、本屋内に設置したキオスク端末を操作して当該コンテンツの購入を指示し、自身が所持する携帯端末Ｔを第２の通信Ｉ／Ｆの設置位置（通信部）に近接させる。すると、キオスク端末は、近接で高速な通信が可能な第２の通信Ｉ／Ｆにより、利用者が購入を指定したコンテンツをダウンロードする。
【０１３５】
すなわち、キオスク端末は、通信範囲内に限定した範囲で閲覧できるお試しコンテンツを提供するとともに、データサイズの大きなディジタルコンテンツ本体を近接した状態で高速に転送（ダウンロード）することができる。また、お試しコンテンツは、キオスク端末周辺の通信範囲内での配信および再生に限定できる。この結果として、本情報配信システムは、キオスク端末を用いたコンテンツ販売の促進だけでなく、お試しコンテンツを再生したい利用者を当該通信範囲に集めることができ、キオスク端末の設置場所あるいは通信範囲Ｅ１における集客に貢献できる。
【０１３６】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【０１３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３８】
１…情報配信システム、１０…キオスク端末、１１…無線機器、Ｔ…携帯端末、Ｅ１…第１の通信範囲、Ｅ２…第２の通信範囲、２０…制御部、２１…表示部（表示手段）、２２…操作部、２３…クロック、２５…第１の通信Ｉ／Ｆ（受信手段）、２７…記憶部、３１…コンテンツＤＢ、３１ｃ…コンテンツテーブル、３１ｄ…履歴テーブル（記憶手段）、３２…お試しＤＢ、３３…コードＤＢ、３４…履歴ＤＢ、５０…キオスクアプリ、ＡＣＴ１４…（表示手段の一部）、ＡＣＴ７０…（配信手段の一部）ＡＣＴ７１…（記憶手段の一部）。
【図１】
2014157543.tif 000003
【図２】
2014157543.tif 000004
【図３】
2014157543.tif 000005
【図４】
2014157543.tif 000006
【図５】
2014157543.tif 000007
【図６】
2014157543.tif 000008
【図７】
2014157543.tif 000009
【図８】
2014157543.tif 000010
【図９】
2014157543.tif 000011
【図１０】
2014157543.tif 000012
【図１１】
2014157543.tif 000013
【図１２】
2014157543.tif 000014
【図１３】
2014157543.tif 000015
【図１４】
2014157543.tif 000016
【図１５】
2014157543.tif 000017
【図１６】
2014157543.tif 000018
【図１７】
2014157543.tif 000019
【図１８】
2014157543.tif 000020
【図１９】
2014157543.tif 000021